(57)【要約】【課題】簡単に製造できる首掛け用ラベルを提供すること。【解決手段】ボトルＢの首部Ｎに通すための孔部10ｃを有しボトルＢの肩部Ｓに取り付く首掛け用ラベル10であって、印刷が施される印刷層11と、印刷層11の裏面に配され熱により収縮するシュリンクフィルム層13と、印刷層11とシュリンクフィルム層13との間において、非粘着部12ａを除いて粘着剤が配される粘着層12と、を有し、熱が付与されることにより非粘着部12ａに当接するシュリンクフィルムが熱収縮することで、ボトルＢの肩部Ｓに取り付く形状になることを特徴とする首掛け用ラベル10。【選択図】図３
2008209571.tif 000002
【特許請求の範囲】
【請求項１】
ボトルの首部に通すための孔部を有し前記ボトルの肩部に取り付く首掛け用ラベルであって、
印刷が施される印刷層と、
前記印刷層の裏面に配され熱により収縮するシュリンクフィルム層と、
前記印刷層と前記シュリンクフィルム層との間において、非粘着部を除いて粘着剤が配される粘着層と、を有し、
熱が付与されることにより前記非粘着部に当接するシュリンクフィルムが熱収縮することで、前記ボトルの肩部に取り付く形状になることを特徴とする首掛け用ラベル。
【発明の詳細な説明】
【技術分野】
【０００１】
本発明は、ペットボトルなどのボトルの首の部分に取り付けて情報を表示するための、首掛け用ラベルに関するものである。
【背景技術】
【０００２】
従来、ペットボトルやガラス製のボトルなどの首部に掛けることで取り付けられる首掛け用ラベルがある。首掛け用ラベルは、情報の表示部分とボトルの首部に通す孔部とで構成される。ラベルの孔部がボトルの首部を通り、ラベル自身がボトルの肩部で保持されることで、ラベルに記載されている諸情報を表示する（例えば、特許文献１及び２参照）。
【０００３】
特許文献１の首掛け用ラベルの製造方法は次のようなものである。まず、首掛け用ラベルには、ボトルの首部に通る孔部が必要だが、この孔部を熱収縮性フィルム（シュリンクフィルム層）で構成する。そして製造時に、首掛け用ラベルの前記孔部をボトルの首部に通し、熱を加える。すると、前記孔部が熱収縮することで、首掛け用ラベルがボトルに取り付くというものである。
【０００４】
特許文献２の首掛け用ラベルは次のようなものである。紙などの折り曲げ可能な材質で構成された１枚のシートの真ん中に、ボトルの首部に通すための孔部を形成する。そして前記孔部の周囲に適当な切れ目を入れる。ラベルをボトルに取り付ける際には、ボトルの首部に前記孔部を通し、前記切れ目に許容される範囲で折り曲げることで前記孔部の大きさを拡げ、首掛け用ラベルをボトルに取り付ける。
【０００５】
【特許文献１】特開２００２−９１３０９
【特許文献２】実開平３−８９４７１
【発明の開示】
【発明が解決しようとする課題】
【０００６】
しかしながら、特許文献１及び特許文献２においては、首掛け用ラベルを取り付け可能な形状にするために、取り付け対象となるボトルが必要となる。このように、首掛け用ラベルを製造する時点でボトルが必要になると、ボトルを搬送する装置が首掛け用ラベルを製造する装置以外にも必要となり、装置が大型化するおそれがある。また、ボトルを適宜搬送する必要があるため手間がかかる。
【０００７】
本発明の目的は、簡単に製造できる首掛け用ラベルを提供することである。
【課題を解決するための手段】
【０００８】
上記目的を達成するための本発明の構成は、次のとおりである。
【０００９】
（１）
ボトルの首部に通すための孔部を有し前記ボトルの肩部に取り付く首掛け用ラベルであって、印刷が施される印刷層と、前記印刷層の裏面に配され熱により収縮するシュリンクフィルム層と、前記印刷層と前記シュリンクフィルム層との間において、非粘着部を除いて粘着剤が塗布される粘着層と、を有し、熱が付与されることにより前記非粘着部に当接するシュリンクフィルムが熱収縮することで、前記ボトルの肩部に取り付く形状になることを特徴とする首掛け用ラベル。
【発明の効果】
【００１０】
（１）の構成のように、印刷層とシュリンクフィルム層とを積層し、各層の間の粘着層の一部を非粘着部とすると、熱を付与することで、シュリンクフィルム層のうち前記非粘着部に当接するシュリンクフィルムのみが熱収縮する。これにより、首掛け用ラベルが変形し、前記ボトルの肩部に取り付く形状となる。従って、製造時点で首掛け用ラベルが取り付く対象であるボトルがなくとも、首掛け用ラベルを製造することができる。また、ボトルを搬送する必要がなくなり、ボトルを搬送する装置等も必要なくなる。また、ボトルを搬送する手間もかからない。
【００１１】
この結果、簡単に製造できる首掛け用ラベルを提供することができる。
【発明を実施するための最良の形態】
【００１２】
図を用いて本発明の一実施形態を説明する。図１は首掛け用ラベル10の熱付与前の状態の平面図及び断面図である。図２は首掛け用ラベル10の熱付与前後の状態の平面図及び側面図である。図３は首掛け用ラベル10の使用時の斜視図である。
【００１３】
（首掛け用ラベル10の構成）
図１に示すように、首掛け用ラベル10は、表面から少なくとも、印刷層11、粘着層12、シュリンクフィルム層13、擬似接着層14を有し、それらは台紙20の上に擬似接着される。尚、印刷層11の表面に透明な保護層等を積層することとしてもよい。次に各層を具体的に説明する。
【００１４】
印刷層11は、首掛け用ラベル10の表面となる層である。ここに、商品の内容やキャンペーン等の情報を記載することにより、商品に関連する情報を表示する。
【００１５】
粘着層12は、粘着剤で構成され、印刷層11とシュリンクフィルム層13とを一体的に粘着固定する。印刷層11と一体的に固定されたシュリンクフィルムは、その粘着力により熱を付与してもほとんど収縮しないため、粘着層12があることにより、シュリンクフィルム層13の収縮を制御することができる。
【００１６】
また、粘着層12は、印刷層11とシュリンクフィルム層13との間に全て粘着剤が配されているわけではなく、粘着剤が配されていない非粘着部12ａが形成される。即ち、粘着層12は非粘着部12ａを除いて粘着剤が配される。本実施形態においては、孔部10ｃ（後述）の近傍において一直線上に所定幅の非粘着部12ａが形成される。尚、非粘着部12ａは、粘着剤を配しないことのみで形成されるものではなく、他の方法でも実現することができる。例えば、粘着剤と印刷層11との間に離型剤を配することとしてもよい。このようにして、印刷層11とシュリンクフィルム層13とを一体的にしないようにして非粘着部12ａを形成してもよい。
【００１７】
シュリンクフィルム層13は、熱を付与することにより熱収縮するシュリンクフィルムによって形成される層である。シュリンクフィルムは、熱を付与することにより一定の方向に収縮する性質をもっている。本実施形態においては、図１の横方向のみに収縮し縦方向には収縮しないものを用いた。このようにシュリンクフィルムは種類に応じて一定の方向に収縮する性質を持っているため、この性質を利用し、シュリンクフィルムの収縮する方向を変更することで熱を付与したときのラベルの変形方向を変えることができる。
【００１８】
擬似接着層14は、シュリンクフィルム層13の裏面に形成され、シュリンクフィルム層13を台紙20に対して擬似接着している。擬似接着剤とすると、台紙20から剥がした後にシュリンクフィルム層13の裏面に粘着力が残らないので好ましい。ただし、擬似接着層14は、必ずしも擬似接着剤で形成する必要はなく通常の接着剤でもよい。
【００１９】
以上のように、首掛け用ラベル10は熱収縮する部分と熱収縮しにくい部分とで構成されるため、熱収縮の有無に応じて分けることができる。即ち、熱を付与しても熱収縮しない非収縮部10ａと、熱を付与すると熱収縮する収縮部10ｂと、ボトルの首部に通すための孔部10ｃに分けることができる。
【００２０】
（首掛け用ラベル10の製造）
次に、首掛け用ラベル10の製造方法を説明する。まず、首掛け用ラベル10を台紙20から剥離する。この状態において首掛け用ラベル10は、図２（ａ）に示すように平面状の形状である。
【００２１】
ここで熱を付与すると、シュリンクフィルム層13のうち、収縮部10ｂにあり非粘着部12ａと当接するシュリンクフィルムが、印刷層11から離れて一定の方向に収縮する。本実施形態においては、図２の横方向にのみ縮むシュリンクフィルムを用いた。このため、収縮部10ｂの横の長さはＬ１からＬ２に縮まったものの、縦の長さはＷから変わらない。この結果、収縮部10ｂにあるシュリンクフィルムは、収縮部10ｂの左右にある非収縮部10ａを引き寄せる。すると、図２（ｂ）に示すように首掛け用ラベル10は変形し、逆Ｖ字の山形形状に折れ曲がる。
【００２２】
こうして図３（ａ）に示すような、山形形状の首掛け用ラベル10が形成される。首掛け用ラベル10の使用時においては、図３（ｂ）に示すように、ボトルＢの首部Ｎに首掛け用ラベル10の孔部10ｃを通し、肩部Ｓにおいて首掛け用ラベル10を保持する。
【００２３】
尚、本実施形態においては、粘着層12の非粘着部12ａを孔部10ｃの隣接する一直線上に位置させて収縮部10ｂを形成したが、これに限るものではない。即ち、首掛け用ラベル10がボトルＢの首部Ｎに取り付く形状になるように、非粘着部12ａは孔部10ｃの近傍に位置させれば他の位置でもよい。
【００２４】
また、本実施形態において、シュリンクフィルム層13のシュリンクフィルムの収縮率は横方向に約２分の１のものを用い、Ｌ１の長さはＬ２のおよそ２倍であったが、これに限るものではない。所望の形状を得るために、シュリンクフィルムの収縮率は適宜変更することができる。
【産業上の利用可能性】
【００２５】
本発明は、ガラス瓶やペットボトル等のボトルのみならず、孔部を通して情報を表示することのできるもの一般に利用することができる。
【図面の簡単な説明】
【００２６】
【図１】首掛け用ラベル10の熱付与前の状態の平面図及び断面図。
【図２】首掛け用ラベル10の熱付与前後の状態の平面図及び側面図。
【図３】首掛け用ラベル10の使用時の斜視図。
【符号の説明】
【００２７】
Ｂ…ボトル、Ｎ…首部、Ｓ…肩部、10…首掛け用ラベル、10ａ…非収縮部、10ｂ…収縮部、10ｃ…孔部、11…印刷層、12…粘着層、12ａ…非粘着部、13…シュリンクフィルム層、14…擬似接着層、20…台紙
【図１】
2008209571.tif 000003
【図２】
2008209571.tif 000004
【図３】
2008209571.tif 000005